(57)【要約】      （修正有）【課題】かごの昇降の際に発生する綱止め装置の騒音を防止するとともに、種々のエレベータ装置に対応することができるエレベータ用ロープ装置を得る。【解決手段】エレベータ昇降路内を昇降するかごと、このかごを懸吊する複数の主ロープ３と、各主ロープの端部にそれぞれ設けられたソケット１２と、各ソケットに設けられ、各主ロープを昇降路昇降体又は昇降路固定体に弾性的に支持するロープシャックル１３と、各主ロープの端部若しくは各ソケットにそれぞれ独立して設けられ、かごの昇降により主ロープの端部に傾斜が生じた際にソケット同士が接触することを防止する弾性体１７とを備える。【選択図】図３
2006143435.tif 000002
【特許請求の範囲】
【請求項１】
エレベータ昇降路内を昇降するかごと、このかごを懸吊する複数の主ロープと、各主ロープの端部にそれぞれ設けられたソケットと、各ソケットに設けられ、前記各主ロープを昇降路昇降体又は昇降路固定体に弾性的に支持するロープシャックルと、前記各主ロープの端部若しくは前記各ソケットにそれぞれ独立して設けられ、前記かごの昇降により前記主ロープの端部に傾斜が生じた際に前記ソケット同士が接触することを防止する弾性体とを備えたことを特徴とするエレベータ用ロープ装置。
【請求項２】
弾性体は、ソケット近傍の各主ロープの端部にそれぞれ独立して着脱自在に設けられた弾性把持体であることを特徴とする請求項１に記載のエレベータ用ロープ装置。
【請求項３】
ソケット及び弾性把持体の横断面が円形状を呈し、前記弾性把持体の横断面は前記ソケットの横断面よりも大きいことを特徴とする請求項２に記載のエレベータ用ロープ装置。
【請求項４】
弾性把持体は直方体状を呈し、主ロープが回転した際にソケット同士が干渉する前に前記弾性把持体が干渉するように配置されたことを特徴とする請求項２に記載のエレベータ用ロープ装置。
【請求項５】
弾性把持体は、主ロープの端部に設けられたソケットと、このソケット近傍の前記主ロープの端部に設けられたワイヤクリップとの間に配置されたことを特徴とする請求項２から請求項４の何れかに記載のエレベータ用ロープ装置。
【請求項６】
各弾性把持体は、ワイヤによって互いに連結されたことを特徴とする請求項２から請求項４の何れかに記載のエレベータ用ロープ装置。
【請求項７】
ワイヤは、弾性把持体の落下防止のため、主ロープの端部に設けられたソケット等に掛止されたことを特徴とする請求項６に記載のエレベータ用ロープ装置。
【請求項８】
弾性把持体は、主ロープが配置された主ロープ孔と、この主ロープ孔から側面に渡って形成されたスリットと、このスリットの両側に一直線状に設けられた取付孔とを備え、前記取付孔に挿通された締結手段により前記主ロープを挟持するように設けられたことを特徴とする請求項２から請求項７の何れかに記載のエレベータ用ロープ装置。
【請求項９】
弾性体は、各主ロープの端部にそれぞれ独立して設けられたソケットの外周部にコーティングされた弾性素材であることを特徴とする請求項１に記載のエレベータ用ロープ装置。
【発明の詳細な説明】
【技術分野】
【０００１】
この発明は、エレベータのかごや釣合い重りを懸吊するエレベータ用ロープ装置に関するものである。
【背景技術】
【０００２】
エレベータのかごや釣合い重りを懸吊する主ロープは、綱止め装置を介してかご等の昇降路昇降体や昇降路梁等の昇降路固定体に連結される。この主ロープは、通常、複数本から構成されており、綱止め装置に連結されたその端部は、所定間隔毎に整然と配置されている。かかる構成を有するエレベータ用ロープ装置では、かごの昇降により上記綱止め装置と主ロープが巻き掛けられた巻上機の駆動綱車等とが接近すると、綱止め装置の主ロープの設置間隔と駆動綱車等の綱溝の間隔との相違により、主ロープ端部及びこの主ロープ端部が連結された綱止め装置のロープシャックル等に傾斜が生じてしまう。即ち、綱止め装置の主ロープの設置間隔は、通常、駆動綱車等の綱溝の間隔よりも広いため、綱止め装置と駆動綱車等とが接近することによってロープシャックルの主ロープ連結側が窄まり、例えば、ロープシャックルと主ロープ端部とを連結するソケット同士が接触して騒音を発生させることがあった。
【０００３】
このような騒音を防止するため、従来のエレベータ用ロープ装置には、綱止め装置に連結された各主ロープの端部を１つのロープクリートに所定間隔毎にそれぞれ固定することにより、綱止め装置と巻上機の駆動綱車等とが接近した場合でも、上記ソケット等のような騒音の発生源となる部材同士の間隔を一定以上に保つように構成したものがある（例えば、特許文献１参照）。
【０００４】
【特許文献１】特開２００３−２５５８号公報
【発明の開示】
【発明が解決しようとする課題】
【０００５】
特許文献１記載のエレベータ用ロープ装置では、綱止め装置に連結された複数の主ロープの各端部を１つのロープクリートに固定しているため、ロープクリートとこのロープクリートを固定する固定具とを主ロープの配置に合わせて設計する必要があり、その種類が膨大になるという問題があった。また、主ロープの設置本数や配置を変更する度にロープクリートとその固定具とを新たに設計し直す必要もあり、作業性が悪いという問題も生じていた。
【０００６】
この発明は、上述のような課題を解決するためになされたもので、その目的は、かごの昇降の際に発生する綱止め装置の騒音を防止するとともに、種々のエレベータ装置に対応することができるエレベータ用ロープ装置を提供することである。
【課題を解決するための手段】
【０００７】
この発明に係るエレベータ用ロープ装置は、エレベータ昇降路内を昇降するかごと、このかごを懸吊する複数の主ロープと、各主ロープの端部にそれぞれ設けられたソケットと、各ソケットに設けられ、各主ロープを昇降路昇降体又は昇降路固定体に弾性的に支持するロープシャックルと、各主ロープの端部若しくは各ソケットにそれぞれ独立して設けられ、かごの昇降により主ロープの端部に傾斜が生じた際にソケット同士が接触することを防止する弾性体とを備えたものである。
【発明の効果】
【０００８】
この発明は、エレベータ昇降路内を昇降するかごと、このかごを懸吊する複数の主ロープと、各主ロープの端部にそれぞれ設けられたソケットと、各ソケットに設けられ、各主ロープを昇降路昇降体又は昇降路固定体に弾性的に支持するロープシャックルと、各主ロープの端部若しくは各ソケットにそれぞれ独立して設けられ、かごの昇降により主ロープの端部に傾斜が生じた際にソケット同士が接触することを防止する弾性体とを備える構成としたことで、かごの昇降の際に発生する綱止め装置の騒音を防止するとともに、種々のエレベータ装置に対応することができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
図１は、この発明に係るエレベータ用ロープ装置を備えた１対１ローピング方式のエレベータ装置の構成図である。図１において、エレベータのかご１及び釣合い重り２は、複数本の主ロープ３により釣瓶式に懸吊されており、この主ロープ３が巻き掛けられた巻上機４の駆動綱車４ａが回動することにより、互いに逆方向に昇降路５内を昇降する。かご１及び釣合い重り２を懸吊する主ロープ３は、かご１側一端部が後述する綱止め装置６を介してかご１を支持するかご枠１ａに弾性的に連結されるとともに、昇降路５の頂部又は機械室７に設置された巻上機４の駆動綱車４ａとそらせ車８とに巻き掛けられ、釣合い重り２側他端部が後述する綱止め装置９を介して釣合い重り２を支持する釣合い重り枠２ａに弾性的に連結されている。
【００１１】
図２は、この発明に係るエレベータ用ロープ装置を備えた２対１ローピング方式のエレベータ装置の構成図である。図２において、エレベータのかご１及び釣合い重り２は、複数本の主ロープ３により釣瓶式に懸吊されており、この主ロープ３が巻き掛けられた巻上機４の駆動綱車４ａが回動することにより、互いに逆方向に昇降路５内を昇降する。かご１及び釣合い重り２を懸吊する主ロープ３は、かご１側一端部が後述する綱止め装置６を介して昇降路５頂部の昇降路梁５ａに弾性的に連結されるとともに、かご１の下部に設けられたかご用返し車１ｂと、昇降路５頂部に設けられた返し車１０と、昇降路５ピット部に設けられた巻上機４の駆動綱車４ａと、釣合い重り２上部に設けられた釣合い重り用返し車２ｂとに巻き掛けられ、釣合い重り２側他端部が後述する綱止め装置９を介して昇降路５頂部の昇降路梁５ａに弾性的に連結されている。なお、図２では、綱止め装置６及び９が同じ昇降路梁５ａに設けられている場合が示されているが、それぞれ異なる昇降路梁に設けられていても構わない。
【００１２】
なお、上記構成を有するエレベータ装置では、綱止め装置６及び９に連結された主ロープ３の設置間隔よりも、駆動綱車４ａやそらせ車８、各種返し車１ｂ及び２ｂ、１０等の外周面に形成された綱溝の間隔の方が狭いため、各主ロープ３の間隔は、綱止め装置６及び９からこの綱止め装置６及び９に近接する駆動綱車４ａ等に向かうに従って狭くなる。また、この時の主ロープ３の傾斜はかご１が昇降することによって変化し、綱止め装置６及び９とこの綱止め装置６及び９に近接する駆動綱車４ａとの距離が短くなるに従ってその傾斜は大きくなる。即ち、綱止め装置６及び９とこの綱止め装置６及び９に近接する駆動綱車４ａ等とが最も接近した際に主ロープ３の傾斜は最大となり、各主ロープ３の端部同士の間隔が最も狭い状態となる。
【００１３】
次に、エレベータのかご１や釣合い重り２を懸吊する主ロープ３を、かご枠１ａ又は釣合い重り枠２ａ、昇降路梁５ａ等に連結する連結部について、前述した綱止め装置６及び９の構造を含め詳細に説明する。
【００１４】
実施の形態１．
図３はこの発明の実施の形態１におけるエレベータ用ロープ装置の要部斜視図であり、主ロープ３の一端部が綱止め装置６を介して昇降路５頂部の昇降路梁５ａに弾性的に連結された場合を示したものである。図３において、エレベータのかご１及び釣合い重り２を釣瓶式に懸吊する複数の主ロープ３は、それぞれの一端部が綱止め装置６を介して昇降路５頂部の昇降路梁５ａに連結されている。ここで、綱止め装置６は、２つの昇降路梁５ａに跨って設けられた板状を呈する綱止め部１１と、各主ロープ３の一端部にそれぞれ強固に設けられた略円筒状を呈するソケット１２と、綱止め部１１の下方においてその一端部がソケット１２に回動可能に設けられるとともに、綱止め部１１に形成された貫通孔（図示せず）に遊貫するロープシャックル１３と、綱止め部１１の上方においてロープシャックル１３に遊貫されたバネ押え１４と、綱止め部１１及びバネ押え１４の間に設けられ、バネ押え１４を上方に付勢するシャックルバネ１５と、ロープシャックル１３の他端部に形成されたネジ部にバネ押え１４の上方から螺嵌され、バネ押え１４を係止するナット１６とから構成されている。
【００１５】
なお、略円筒状を呈する上記ソケット１２は、綱止め部１１よりも下方に配置されたロープシャックル１３及び主ロープ３よりもその横断面が大きく、綱止め部１１より下方にある綱止め装置６の同部材同士の間隔が最も狭くなっている。また、かご１を懸吊する各主ロープ３の長さにアンバランスが生じた場合、綱止め装置６の上記ナット１６を回転させて上下移動させることにより、各主ロープ３の長さを個別に調整することができる。また、ロープシャックル１３の他端部を支持する上記シャックルバネ１５は、かご１の発進時及び停止時等、エレベータの通常運転時に発生する衝撃を緩和するとともに、綱止め装置６とこの綱止め装置６に近接するかご用返し車１ｂ等とが接近することにより生じる主ロープ３とロープシャックル１３との傾斜を吸収するフローティング機能を備えている。
【００１６】
かかる構成を有する綱止め装置６に連結された各主ロープ３には、綱止め装置６のソケット１２近傍となるその一端部に、略円柱状を呈する弾性把持体１７がそれぞれ独立して着脱自在に設けられている。この弾性把持体１７は、ウレタンやその他のゴム等のような弾性素材で構成され、人の力で変形可能であるとともに、弾性把持体１７同士が衝突した際にその衝突音がほとんど生じないような特性を有している。また、この弾性把持体１７は、略円形状を呈するその横断面が同じく略円形状を呈する綱止め装置６のソケット１２の横断面よりも大きく、略同高さに設けられた各弾性把持体１７同士の間隔は、各ソケット１２同士の間隔よりも狭くなるように配置されている。
【００１７】
図４は、この発明の実施の形態１における弾性把持体１７の斜視図である。図４において、各主ロープ３の一端部にそれぞれ設けられた略円筒形状を呈する弾性把持体１７には、上面中央部から下面中央部に渡って主ロープ孔１７ａが形成されるとともに、この主ロープ孔１７ａから外周面に渡ってスリット１７ｂが形成されることにより、その一部が切断された状態になっている。さらに、スリット１７ｂの両側には、このスリット１７ｂに直交する略一直線状の取付孔１７ｃが形成されている。
【００１８】
上記構成を有する弾性把持体１７を作業者が主ロープ３の一端部に取り付ける場合、この作業者は、弾性把持体１７のスリット１７ｂを手の力で広げ、予め綱止め装置６に連結された主ロープ３の一端部に側方から取り付ける。取付の際、弾性把持体１７の主ロープ孔１７ａに主ロープ３を配置し、取付孔１７ｃの一側から挿通されたボルト１８ａと取付孔１７ｃの他側においてボルト１８ａに螺嵌するナット１８ｂにより、主ロープ３を挟持するように取り付ける。なお、特許請求の範囲における締結手段は、ボルト１８ａ及びナット１８ｂから構成される。
【００１９】
この発明の実施の形態１によれば、各主ロープ３の一端部に設けられた弾性把持体１７は、綱止め装置６のソケット１２よりも大きな横断面を有しているため、かご１の昇降により主ロープ３の一端部及びロープシャックル１３に傾斜が生じた場合でも、この弾性把持体１７同士が干渉し合い、ソケット１２同士の接触を確実に防止することができる。また、弾性把持体１７は、各主ロープ３の一端部にそれぞれ独立して設けられているため、主ロープ３の設置本数やその配置を変更する場合でも、従来のように主ロープ３の配置に合わせた新たな弾性体の設計や取替作業は必要としない。したがって、作業性に優れるとともに、種々のエレベータ装置に対応することが可能となる。さらに、弾性把持体１７は、綱止め装置６に連結されている主ロープ３に対して側方から着脱自在に構成されているため、主ロープ３の長さ調整を行った後にその高さ調整を容易に行うことができる。また、既存のエレベータ装置への取り付けも容易に行うことが可能となる。
【００２０】
実施の形態２．
図５はこの発明の実施の形態２におけるエレベータ用ロープ装置の要部斜視図であり、主ロープ３の一端部が綱止め装置６ａを介して昇降路５頂部の昇降路梁５ａに弾性的に連結された場合を示したものである。図５において、エレベータのかご１及び釣合い重り２を釣瓶式に懸吊する複数の主ロープ３は、それぞれの一端部が綱止め装置６ａを介して昇降路５頂部の昇降路梁５ａに連結されている。かご１を懸吊する各主ロープ３の一端部は、横断面が略長方形状を呈する綱止め装置６ａのソケット１９により、楔を入れる形で強固に支持されており、この楔式のソケット１９内で折り返された主ロープ３の端部がソケット１９から下垂されている。また、各主ロープ３には、綱止め装置６ａの下方となる位置に、主ロープ３の一端部及びその折返し部を共に挟持するワイヤクリップ２０がそれぞれ独立に設けられている。なお、上記ソケット１９は、綱止め部１１よりも下方に配置されたロープシャックル１３及び主ロープ３、ワイヤクリップ２０よりもその横断面が大きく、綱止め部１１より下方にある綱止め装置６ａの同部材同士の間隔が最も狭くなるような構成を有している。
【００２１】
かかる構成を有する綱止め装置６ａに連結された各主ロープ３には、綱止め装置６ａのソケット１９近傍となるその一端部に、略直方体状を呈する弾性把持体２１が、ソケット１９とワイヤクリップ２０との間に配置されるように、それぞれ独立して着脱自在に設けられている。この弾性把持体２１は、ウレタンやその他のゴム等のような弾性素材で構成され、人の力で変形可能であるとともに、弾性把持体２１同士が衝突した際にその衝突音がほとんど生じないような特性を有している。また、この弾性把持体２１は、綱止め装置６ａのソケット１９よりも大きな横断面を有しており、略同高さに設けられた各弾性把持体２１同士の間隔は、ソケット１９同士の間隔よりも狭くなるように配置されている。
【００２２】
図６は、この発明の実施の形態２における弾性把持体２１の斜視図である。図６において、各主ロープ３の一端部にそれぞれ設けられた略直方体状を呈する弾性把持体２１には、上面中央部から下面中央部に渡って、長穴である主ロープ孔２１ａが形成されるとともに、この主ロープ孔２１ａから一側面に渡ってスリット２１ｂが形成されることにより、その一部が切断された状態になっている。さらに、スリット２１ｂの両側には、このスリット２１ｂに直交する略一直線状の取付孔２１ｃが形成されている。
【００２３】
上記構成を有する弾性把持体２１を作業者が主ロープ３の一端部に取り付ける場合、この作業者は、弾性把持体２１のスリット２１ｂを手の力で広げ、予め綱止め装置６ａに連結された主ロープ３の一端部に側方から取り付ける。なお、図７は弾性把持体２１を主ロープ３の一端部に取り付ける際の状態を示したものである。この取付の際、弾性把持体２１の主ロープ孔２１ａに主ロープ３の一端部及び主ロープ３のソケット１９からの折返し部を配置し、取付孔２１ｃの一側から挿通されたボルト１８ａと取付孔２１ｃの他側においてボルト１８ａに螺嵌するナット１８ｂにより、主ロープ３を挟持するように取り付ける。その他は、実施の形態１と同様の構成を有している。
【００２４】
この発明の実施の形態２によれば、各主ロープ３の一端部に設けられた弾性把持体２１は、綱止め装置６ａのソケット１９よりも大きな横断面を有し、ソケット１９の形状に合わせて配置されているため、かご１の昇降により主ロープ３の一端部及びロープシャックル１３に傾斜が生じた場合でも、この弾性把持体２１同士が干渉し合い、ソケット１９同士の接触を確実に防止することができる。また、弾性把持体２１が略直方体状を呈しているため、主ロープ３に捻り等が加わり回転した場合でも、ソケット１９同士が干渉する前に弾性把持体２１同士が干渉し合い、ソケット１９同士の接触による騒音の発生を防止することが可能となる。また、弾性把持体２１が綱止め装置６ａのソケット１９とこのソケット１９近傍の主ロープ３の端部に固定されたワイヤクリップ２０との間に配置されているため、弾性把持体２１を固定するボルト１８ａ及びナット１８ｂが万一弛緩してしまった場合にも、弾性把持体２１等が昇降路５内に落下するような事故を防止することができる。なお、その他は実施の形態１と同様の効果を奏する。
【００２５】
実施の形態３．
図８は、この発明の実施の形態３におけるエレベータ用ロープ装置の要部斜視図である。図８において、主ロープ３の一端部に連結された綱止め装置６ｂは、ソケット１９の向きが実施の形態２と比較して約９０度変更されており、ソケット１９とワイヤクリップ２０との間に配置された弾性把持体２１は、ソケット１９の向きに合わせて取り付けられている。なお、その他は、実施の形態２と同様の構成及び効果を奏する。
【００２６】
実施の形態４．
図９は、この発明の実施の形態４におけるエレベータ用ロープ装置の要部斜視図である。図９において、エレベータの各主ロープ３の一端部にそれぞれ独立して設けられた弾性把持体２１は、それぞれワイヤ２２により互いに連結されており、このワイヤ２２は、綱止め装置６ｂのソケット１９に掛止されている。なお、その他は、ワイヤクリップ２０を除き実施の形態３と同様の構成を有している。
【００２７】
かかる構成を有することにより、略直方体状の弾性把持体２１の回転を確実に防止することができるとともに、弾性把持体２１を固定するボルト１８ａ及びナット１８ｂが万一弛緩してしまった場合でも、弾性把持体２１等が昇降路５内に落下することを防止することができ、例えば、昇降路５ピット部に設置された巻上機４内部にナット１８ｂ等が入り込むような事故を確実に防止することができる。なお、実施の形態４においては、ワイヤ２２がソケット１９に掛止されている場合が示されているが、弾性把持体２１の回転防止及び落下防止機能を有することができれば、例えば、ワイヤ２２を昇降路梁５ａ等に掛止するようにしても構わない。また、その他は、実施の形態３と同様の効果を奏する。
【００２８】
実施の形態５．
図１０は、この発明の実施の形態５におけるエレベータ用ロープ装置の要部斜視図である。図１０において、エレベータの各主ロープ３の一端部にそれぞれ独立して連結された綱止め装置６のソケット１２ａは、その外周面がウレタンやその他のゴム等からなる弾性素材でコーティングされている。なお、その他は、弾性把持体１７を除き実施の形態１と同様の構成を有している。
【００２９】
かかる構成を有することにより、かご１の昇降により主ロープ３の一端部及びロープシャックル１３に傾斜が生じ、綱止め装置６の綱止め部１１よりも下方にある最も横断面積の大きいソケット１２ａ同士が接触した場合でも、その衝突音を最小限にすることが可能となる。なお、図１０においては、ソケット１２ａの外周部全体が弾性素材で覆われている場合が示されているが、ソケット１２ａの外周部のうち、横断面積の最も大きな部分を弾性素材で覆うことによっても、実施の形態５と同様の効果を奏することは言うまでもない。
【００３０】
実施の形態６．
図１１は、この発明の実施の形態６におけるエレベータ用ロープ装置の要部斜視図である。図１１において、エレベータ各主ロープ３の一端部にそれぞれ独立して連結された綱止め装置６ａのソケット１９ａは、その外周面がウレタンやその他のゴム等からなる弾性素材でコーティングされている。なお、その他は、弾性把持体２１及びワイヤクリップ２０を除き実施の形態２と同様の構成を有している。
【００３１】
かかる構成を有することにより、かご１の昇降により主ロープ３の一端部及びロープシャックル１３に傾斜が生じたり、主ロープ３に捻りが加わってソケット１９ａが回転したりして、綱止め装置６ａの綱止め部１１よりも下方にある最も横断面の大きいソケット１９ａ同士が接触した場合でも、その衝突音を最小限にすることが可能となる。なお、その他は実施の形態２と同様の効果を奏する。
【図面の簡単な説明】
【００３２】
【図１】この発明に係るエレベータ用ロープ装置を備えたエレベータ装置の構成図である。
【図２】この発明に係るエレベータ用ロープ装置を備えたエレベータ装置の構成図である。
【図３】この発明の実施の形態１におけるエレベータ用ロープ装置の要部斜視図である。
【図４】この発明の実施の形態１における弾性把持体の斜視図である。
【図５】この発明の実施の形態２におけるエレベータ用ロープ装置の要部斜視図である。
【図６】この発明の実施の形態２における弾性把持体の斜視図である。
【図７】この発明の実施の形態２における弾性把持体の取付方法を説明するための図である。
【図８】この発明の実施の形態３におけるエレベータ用ロープ装置の要部斜視図である。
【図９】この発明の実施の形態４におけるエレベータ用ロープ装置の要部斜視図である。
【図１０】この発明の実施の形態５におけるエレベータ用ロープ装置の要部斜視図である。
【図１１】この発明の実施の形態６におけるエレベータ用ロープ装置の要部斜視図である。
【符号の説明】
【００３３】
１  かご
１ａ  かご枠
１ｂ  かご用返し車
２  釣合い重り
２ａ  釣合い重り枠
２ｂ  釣合い重り用返し車
３  主ロープ
４  巻上機
４ａ  駆動綱車
５  昇降路
５ａ  昇降路梁
６、６ａ、６ｂ、９  綱止め装置
７  機械室
８  そらせ車
１０  返し車
１１  綱止め部
１２、１２ａ、１９、１９ａ  ソケット
１３  ロープシャックル
１４  バネ押え
１５  シャックルバネ
１６  ナット
１７、２１  弾性把持体
１７ａ、２１ａ  主ロープ孔
１７ｂ、２１ｂ  スリット
１７ｃ、２１ｃ  取付孔
１８ａ  ボルト
１８ｂ  ナット
２０  ワイヤクリップ
２２  ワイヤ
【図１】
2006143435.tif 000003
【図２】
2006143435.tif 000004
【図３】
2006143435.tif 000005
【図４】
2006143435.tif 000006
【図５】
2006143435.tif 000007
【図６】
2006143435.tif 000008
【図７】
2006143435.tif 000009
【図８】
2006143435.tif 000010
【図９】
2006143435.tif 000011
【図１０】
2006143435.tif 000012
【図１１】
2006143435.tif 000013